(57)【要約】【課題】有効成分の効果が長時間維持される空間用エアゾール製品を提供すること。【解決手段】１気圧下での沸点が４０〜２７０℃である有効成分０．１〜２０重量％と、沸点が−５０〜４０℃である液化ガス８０〜９９．９重量％とを含有するエアゾール組成物を、エアゾール組成物の気体のみを噴射可能なエアゾール容器に充填した空間用エアゾール製品。【選択図】図２
2006122319.tif 000002
【特許請求の範囲】
【請求項１】
１気圧下での沸点が４０〜２７０℃である有効成分０．１〜２０重量％と、
沸点が−５０〜４０℃である液化ガス８０〜９９．９重量％とを含有するエアゾール組成物を、エアゾール組成物の気体のみを噴射可能なエアゾール装置に充填した空間用エアゾール製品。
【請求項２】
前記有効成分が液化ガスに溶解した均一なエアゾール組成物である請求項１記載のエアゾール製品。
【請求項３】
エアゾール組成物の気体を噴射する噴射量が、０．０１〜１．０ｇ／秒である請求項１記載のエアゾール製品。
【請求項４】
エアゾール装置が、エアゾール組成物の気体の流速を制御する流量調整部材を備えており、エアゾール組成物の気体を噴射する噴射量が０．１〜１０ｇ／時間である請求項１記載のエアゾール製品。
【請求項５】
エアゾール装置が、エアゾールバルブを開放状態に維持できるロック機構を備えている請求項４記載のエアゾール製品。
【請求項６】
エアゾール装置が、常に、エアゾール容器内の気相部に開口し、
エアゾール組成物の気体をエアゾールバルブ内に導入するための開口部を備えている請求項１記載のエアゾール装置。
【発明の詳細な説明】
【技術分野】
【０００１】
本発明はエアゾール組成物の気体のみを噴射する空間用エアゾール製品に関する。さらに詳しくは、香料、消臭成分、殺虫成分、害虫忌避成分などの沸点が特定の範囲にある揮発性を有する有効成分と、特定の沸点を有する液化ガスとを含むエアゾール組成物の気体（ベーパー）を空間に噴射する空間用エアゾール製品であって、噴射した空間で有効成分が長時間拡散し、効果が持続する空間用エアゾール製品に関するものである。
【背景技術】
【０００２】
従来の空間に噴射するエアゾール製品は、有効成分、溶剤、液化ガスなどの配合成分が均一に溶解しているエアゾール組成物の液体または液体と気体の混合物を霧状に噴射していた。液体の液化ガスが大気中に噴射されると瞬時に気化して容積が膨張し、それに伴い有効成分を含む溶剤（原液）が微細化されて拡散する。エアゾール組成物を噴射した付近では、噴射された粒子（以下、噴射粒子）が高濃度で拡散しており効果が得られやすいが、噴射粒子は溶剤を含んでいるため落下が速く、効果が持続しない。さらに、液化ガス量を多くして噴射粒子を細かくすると空間での拡散性は良くなるが、使用者あるいは周囲の人が噴射粒子を吸引し易くなり、健康上好ましくない。
【０００３】
一方、有効成分の効果を持続させるために、特許文献１のように、有効成分の溶剤としてイソペンタンなどの低沸点溶剤を用い、高濃度で微量に噴射する微量噴射エアゾール組成物が開示されている。該エアゾール組成物の場合、低沸点の溶剤を使用することにより有効成分が空気中に滞留しやすくなり効果が長く持続することが記載されているが、エアゾール装置については具体的な記載はなく、従来のエアゾール製品と同じくエアゾール組成物の液体を微量噴射するものである。微量噴射するエアゾール装置として、たとえば特許文献２に記載されているような、液体のエアゾール組成物を噴射するものがあり、該エアゾール装置は液体のエアゾール組成物で流量を抑制するため、流量のバラツキが大きく、さらに、わずかでもホコリやゴミがエアゾール組成物中あるいはエアゾール装置内に混入していると流量調整部材で詰まりやすく、噴射量が低下する、さらには噴射できなくなることが本発明者の検討によりわかった。
【０００４】
【特許文献１】特開２００２−３３０２号
【特許文献２】特開２００１−２８６２５３号
【発明の開示】
【発明が解決しようとする課題】
【０００５】
本発明は、有効成分の効果が長時間維持される空間用エアゾール製品を提供することを課題としている。
【０００６】
本発明者は、特定範囲の沸点を有する有効成分と、特定範囲の沸点を有する液化ガスとを特定の比率で含むエアゾール組成物をエアゾール容器に充填することにより、エアゾール容器内部の気相部は有効成分の気体と液化ガスの気体とが混在し、該混在している気体のみを大気中に噴射すると有効成分の効果が得られやすく、かつ持続することがわかり、本発明を完成するに至った。
【課題を解決するための手段】
【０００７】
本発明の空間用エアゾール製品は、１気圧下での沸点が４０〜２７０℃である有効成分０．１〜２０重量％と、沸点が−５０〜４０℃である液化ガス８０〜９９．９重量％とを含有するエアゾール組成物を、エアゾール組成物の気体のみを噴射可能なエアゾール容器に充填したことを特徴としている。
【発明の効果】
【０００８】
噴射した空間で有効成分が長時間拡散し、効果が持続するエアゾール製品が提供され得る。また少ない噴射量で継続して噴射する場合でも、ホコリなどのゴミによる噴射量の減少や停止の心配がなく、安定して噴射するエアゾール製品が提供される。
【発明を実施するための最良の形態】
【０００９】
本発明の空間用エアゾール製品は、前記したように、特定の沸点を有する有効成分０．１〜２０重量％と、特定の沸点を有する液化ガス８０〜９９．９重量％とを含有するエアゾール組成物を、エアゾール組成物の気体のみを噴射可能なエアゾール容器に充填したことを特徴としている。
【００１０】
前記有効成分は、エアゾール容器内では大部分が液相（液化ガス）中に溶解しているが、一部が気体で気相部に存在し、液化ガスの気体と共に外部に噴射されて効果を発揮する。前記有効成分は、１気圧における沸点が４０〜２７０℃、好ましくは５０〜２６０℃であるものがあげられる。沸点が４０℃よりも低い場合はエアゾール組成物の充填途中で揮発しやすく、均一なエアゾール組成物の調整が困難になる。一方、沸点が２７０℃よりも高い場合は、エアゾール容器の気相中に含まれる有効成分濃度が低くなり効果が得られにくい。さらには、液化ガスを全量噴射しても有効成分のみがエアゾール容器内で残留しやすい傾向がある。なお、有効成分が、たとえば香料のように、複数の成分からなる混合物である場合は、前記特定範囲の沸点を有する成分を有効成分中４０重量％以上、さらには５０重量％以上含有することが好ましく、特に混合物中の成分のうち前記特定範囲の沸点を有する成分をエアゾール組成物中０．１〜２０重量％含有することが好ましい。
【００１１】
前記有効成分としては、たとえば、リモネン（１７８℃）、α−ピネン（１５５℃）、β−ピネン（１６４℃）、δ−ピネン（１５７℃）、カンフェン（１６０℃）、サビネン（１５６℃）、α−テルピネン（１８０℃）、β−テルピネン（１７３℃、γ−テルピネン（１８３℃）などの炭化水素系香料；ｎ−ヘプチルアルコール（１７６℃）、ｎ−オクチルアルコール（１９５℃）、ｎ−ノニルアルコール（２１３℃）、ベンジルアルコール（２０５．５℃）、２−メチル−１−ヘキサノール（１６８℃）、３−メチル−１−ヘキサノール（１７３℃）、シトロネロール（２２５℃）、ゲラニオール（２３０℃）、リナロール（１９７℃）、Ｌ−メントール（２１２℃）、メチル−ｎ−ブチルカルビノール（１３６℃）、メチルエチルイソプロピルカルビノール（１３８℃）、メチルヘキシルカルビノール（１８０℃）、メチルフェニルカルビノール（２０２℃）、エチルフェニルカルビノール（２１７℃）、メチルベンジルカルビノール（２１９℃）、フェニルエチルアルコール（２１８℃）、γ−フェニルプロピルアルコール（２３５℃）、α−テレピネオール（２１４℃）、ジヒドロミルセノール（１９４℃）などのアルコール系香料；イソブチルアセテート（１１６．３℃）、ｎ−アミルアセテート（１３８℃）、イソアミルアセテート（１４２．１℃）、ｎ−ヘキシルアセテート（１７０℃）、ｎ−オクチルアセテート（２１０℃）、ｎ−デシルアセテート（１８７℃）、ベンジルアセテート（２１６℃）、β−フェニルエチルアセテート（２３２℃）、ゲラニルアセテート（２４２℃）、ボルニルアセテート（２２５℃）、ｌ−メンチルアセテート（２２７℃）、リナリルアセテート（２２０℃）、ｎ−アミルプロピネート（１４９℃）、イソアミルプロピネート（１６０℃）、リナリルプロピネート（２１２℃）、ベンジルプロピネート（２２０℃）、エチルブチレート（１２０℃）、イソプロピルブチレート（１２８℃）、ｎ−ヘキシルブチレート（２０５℃）、ベンジルブチレート（２４２℃）、エチルイソブチレート（１１２℃）、イソプロピルイソブチレート（１２１℃）、ｎ−ブチルイソブチレート（１５４℃）、イソアミルイソブチレート（１６９℃）、ベンジルイソブチレート（２２８℃）、エチルバレレート（１４４．６℃）、ｎ−ブチルバレレート（１８６．５℃）、イソアミルバレレート（１８７．５℃）、ｎ−ヘプチルバレレート（２４３．６℃）、ベンジルバレレート（２２０℃）、エチルイソバレレート（１３４．４℃）、ｎ−プロピルバレレート（１４３℃）、イソアミルイソバレレート（１９０．４℃）、メチルベンゾエート（１９８．６℃）、エチルベンゾエート（２１２．９℃）、イソブチルフェニルアセテート（２４７℃）、メチルサリシレート（２２４℃）などのエステル系香料；ｎ−オクチルアルデヒド（１７１℃）、ｎ−ノニルアルデヒド（１８５℃）、ｎ−デシルアルデヒド（２０８℃）、シトロネラール（２０３℃）、シトラール（２２８℃）、フェニルアセトアルデヒド（１９３℃）、サリシリックアルデヒド（１９７℃）などのアルデヒド系香料；エチルイソアミルケトン（１６４℃）、メチルヘプテノン（１７３℃）、アセトフェノン（２０２℃）、ベンザルアセトン（２６０℃）、ｏ−アミノアセトフェノン（２５２℃）、カンフル（２０９℃）、メントン（２１０℃）、メチル−ｎ−アミルケトン（１５１℃）カルボン（ｄｌ体２３０℃、ｌ体２３０℃）などのケトン系香料；ゲラニルメチルエーテル（２０８℃）、１，８−シネオール（１７４．４℃）、１，４−シネオール（１７２℃）、エチルベンジルエーテル（１８５℃）、エストラゴール（２１３℃）などのエーテル系香料；ｐ−クレジルエチルエーテル（１９９℃）、アネトール（２３３℃）、オイゲノール（２５４℃）などのフェノール系香料；などの単体香料および該単体香料を用いて調合した調合香料などの合成香料、オレンジ油（たとえばカリフォルニア産の場合、ｄ−リモネンを約９０％含有）、グレープフルーツ油（たとえばアルゼンチン産の場合、ｄ−リモネンを９３．７％含有）、アニス油（アニトールを８０〜９０％含有）、ペパーミント油（たとえばコンゴ産の場合、ｌ−メントール４６％、メンチルアセテート２３．６％、ｌ−メントン１８．８％含有）、スペアミント油（たとえばアメリカ産の場合、カルボン４０．４％、リモネン１６．４％含有）、ローズ油（たとえばインド産の場合、フェニルエチルアルコール２０．８％、ステアロプテン２０．３％、シトロネロール１８．３％、ゲラニオール１０．９％含有）、ラベンダー油（たとえばフランス産の場合、リナロール４７〜６１％、α−テルピネオール６．２〜９．５％、リナリルアセテート５〜１７％含有）、レモン油（たとえばイタリア産の精油の場合、リモネン７０．４％、β−ピネン１３．６％、γ−テルピネン９．８％含有）、レモンユーカリ（たとえば中国産の場合、シトロネラール７７．４％含有）、カユプテ（たとえばベトナム産の場合、１，８−シネオール７０．８％、リモネン７．４％、α−ピネン５．１％含有）、クラリセージ（たとえばフランス産の場合、リナリルアセテート７６％、リナロール７％含有）、コリアンダー（たとえばフランス産の場合、リナロール６５．７％、γ−テルピネン９．２％含有）などの天然植物性香料などの各種香料、メチルベンゾエート（１９８．６℃）、ベンジルアセテート（２１６℃）などの消臭成分、チモール（２３３℃）、カルバクロール（２３７．５℃）、フェノキシエタノール（２４５．３℃）などの殺菌・防腐成分、ナフタレン（２１７．９℃）、カンフル（２０９℃）などの防虫成分、ｌ−メントール（２１２℃）、カンフル（２０９℃）などの清涼化成分などがあげられる。
【００１２】
前記有効成分の配合量は、エアゾール組成中０．１〜２０重量％、さらには０．５〜１５重量％、特に１〜１０重量％であることが好ましい。有効成分の配合量が０．１重量％未満の場合は、エアゾール容器内の気相部での有効成分濃度が低くなりやすく、有効成分の効果が得られにくい傾向がある。一方、配合量が２０重量％を越えると有効成分の沸点（揮発性）によっては液化ガスを全量噴射した後、有効成分のみがエアゾール容器内に残留しやすくなる傾向がある。
【００１３】
なお、前記有効成分は、揮発性溶剤に溶解して配合することもできる。前記揮発性溶剤としては、１気圧において沸点が４０〜２００℃、好ましくは５０〜１００℃であるものがあげられる。前記揮発性溶剤の沸点が４０℃よりも低い場合は、有効成分を溶剤に溶解している間に溶剤が揮発するため調製が難しい。一方２００℃よりも高い場合は、溶剤の配合量によっては液化ガスを全量噴射した後に溶剤が残留しやすくなる。
【００１４】
前記揮発性溶剤としては、たとえば、エタノール（７８．３℃）、ノルマルプロパノール（９７．２℃）、イソプロパノール（８２．３℃）などの低級アルコール；シクロペンテン（４４℃）、ノルマルヘキサン（６８．７℃）、イソヘキサン（６０℃）、シクロヘキセン（８３℃）、ノルマルヘプタン（９８．４℃）、軽質イソパラフィンなどの炭化水素；オクタメチルトリシロキサン（１５０℃）、デカメチルテトラシロキサン（１９０℃）、オクタメチルシクロテトラシロキサン（１７２℃）などの揮発性シリコーン；メチルパーフルオロブチルエーテル（６１℃）、エチルパーフルオロブチルエーテル（７６℃）などのハイドロフルオロエーテル；などがあげられる。
【００１５】
前記揮発性溶剤を配合する場合、前記有効成分との合計量がエアゾール組成物中２０重量％未満であることが好ましく、さらには１５重量％未満であることが好ましい。前記揮発性溶剤の配合量が２０重量％を越えると、エアゾール容器内の気相部での有効成分濃度が低くなりやすく、有効成分の効果が得られにくい傾向がある。また、液化ガスを全量噴射した後に溶剤が残留しやすくなる。
【００１６】
前記液化ガスは、エアゾール容器内では液体および気体の両方の状態で存在し、液体は有効成分の溶剤として、気体は気相部中に存在する有効成分を外部に放出するためのキャリヤーとして作用する。前記液化ガスは、１気圧での沸点が−５０〜４０℃、好ましくは−４５〜３０℃である。液化ガスの沸点が−５０℃よりも低い場合は、エアゾール容器内部での蒸気圧が高くなりすぎ、温度によってはエアゾール容器の耐圧強度を超える恐れがある。また、噴射直後の拡散が速く、噴射後すぐに効果が得られるが、効果が持続しにくい傾向がある。一方、液化ガスの沸点が４０℃を越えると噴射後の拡散が遅く、効果が得られるまで時間がかかる。
【００１７】
前記液化ガスとしては、たとえば、プロパン（−４２．１℃）、ノルマルブタン（−０．５℃）、イソブタン（−１１．７℃）、ノルマルペンタン（３６．１℃）、イソペンタン（２７．９℃）などの炭素数が３〜５個の炭化水素、ジメチルエーテル（−２４．９℃）などのエーテル、およびこれらの混合物などがあげられる。
【００１８】
前記液化ガスの配合量は、エアゾール組成物中８０〜９９．９重量％であり、好ましくは８５〜９９．５重量％、特に９０〜９９重量％である。配合量が８０重量％より少なくなると、エアゾール組成物が全量噴射できなくなり、エアゾール容器内に有効成分や溶剤が残留しやすくなる。一方、９９．９重量％を越えると有効成分の効果が充分に得られる量を配合できなくなる。なお、前記液化ガス中にノルマルペンタン、イソペンタンなどの炭素数が５個の炭化水素を配合した場合は、噴射量が抑制されて有効成分の持続時間が長くなる傾向がある。
【００１９】
本発明に用いられるエアゾール組成物は、エアゾール容器内に有効成分と液化ガス、必要により揮発性溶剤を充填し、有効成分を液化ガスに溶解させることにより調製することができる。得られたエアゾール組成物は、２０℃での蒸気圧が０．１〜０．７ＭＰａ、さらには０．１５〜０．６ＭＰａであることが好ましい。蒸気圧が０．１ＭＰａよりも小さい場合は噴射力が弱く拡散性が悪い。一方、蒸気圧が０．７ＭＰａを超えると高温時の蒸気圧がエアゾール容器の耐圧強度を越える恐れがあり安全上好ましくない。
【００２０】
本発明のエアゾール製品は、有効成分がエアゾール容器内の気相部において特定濃度で存在しており、該エアゾール組成物の気相のみを噴射すると空間で適度に拡散し効果が長時間持続する。なお、前記エアゾール組成物（気相のみ）を噴射するときの単位時間当たりの噴射量（２５℃）は、噴射後短時間で有効成分の効果を得たい場合には０．０１〜１．０ｇ／秒、さらには０．０５〜０．８ｇ／秒であることが好ましい。噴射量が０．０１ｇ／秒よりも小さい場合は、噴射してから効果が得られるまでに時間がかかる。一方、噴射量が１．０ｇ／秒を越えるとエアゾール容器内で液化ガスの揮発量が多くなり、エアゾール組成物が自己冷却されて圧力が低下し噴射量が小さくなるなど、安定した噴射量で噴射できなくなる。また、エアゾール容器内に充填されているエアゾール組成物を少ない噴射量で全量噴射する全量噴射型エアゾール製品のように、長時間噴射を継続し有効成分の効果を持続させたい場合には０．１〜１０ｇ／時間、さらには０．５〜５ｇ／時間に調整することが好ましい。
【００２１】
前記エアゾール組成物の噴射量は、エアゾール製品の用途や使用方法などに応じて、後述するエアゾールバルブの孔径（断面積）、噴射部材の噴射孔径（断面積）や噴射通路の長さ、流量調整部材、液化ガスの蒸気圧などを適宜選択し調整することができる。たとえば、図１および２を参照すると、本実施の形態にかかわるエアゾール装置は、容器本体１４および容器本体１４の開口部２０に固着されるエアゾールバルブ１５とからなるエアゾール容器と、エアゾールバルブ１５に装着される噴射部材１１とからなる。
【００２２】
図２に示す容器本体１４は、ブリキや錫−ニッケル系鋼などの金属板を円筒状にして胴部１４ａを形成し、胴部１４ａに目金蓋１４ｃと底蓋１４ｂを２重巻き締めにより接合した３ピース缶である。なお、容器本体１４は特に限定されず、たとえば、アルミニウムやブリキをインパクト成型や絞り・しごき成形などにより有底筒状に成形したモノブロック缶、ポリエチレンテレフタレートなどの合成樹脂をブロー成形などにより有底筒状に成形した合成樹脂容器、合成樹脂などで内面または外面を被覆した耐圧ガラスなど、所定の耐圧（１．３ＭＰａで変形しないこと、および、１．５ＭＰａで破裂しないこと）を有するものを用いることができる。
【００２３】
エアゾールバルブ１０は、たとえば、容器本体１４の開口部２０のビード２１にクリンプにより固着されるマウンティングカップ２３と、マウンティングカップ２３の中央部に保持されるハウジング２４と、ハウジング２４内に収容される弁Ｖと、ハウジング２４の下部に装着されるディップチューブ１６とからなる。弁Ｖは、外部と連通する連通孔（ステム孔）１２ａを有するステム１２と、連通孔１２ａを塞ぎシールするステムラバー２７と、ステム１２の下部に設けられるスプリング２５とからなり、バルブＶ未作動時は、スプリング２５によりステム１２とステムラバー２７が上方に付勢されて、連通孔（ステム孔）１２ａはステムラバー２７によりシールされている。
【００２４】
また噴射部材１１は、エアゾールバルブ１５のステム１２に装着されるステム装着部１１ｄと、エアゾール組成物の気体を外部に噴射するための噴射孔１１ａと、ステム装着部１１ｄと噴射孔１１ａとを連通する通路１１ｃを備えている。
【００２５】
噴射後短時間で有効成分の効果を得たい場合は、前記エアゾールバルブ１０としては、ステム孔１２ａの断面積が０．０３〜０．３ｍｍ2、ハウジング２４への導入孔２６（下孔および／または横穴）の断面積が０．０３〜４ｍｍ2、さらには０．０５〜３ｍｍ2であることが好ましい。また、長時間効果を持続させたい場合は、ディップチューブ１６の先端孔１６ａ（エアゾール組成物の導入孔）からディップチューブ１６内の通路、ハウジング２４への導入孔２６、ステム孔１２ａに至るバルブ通路の少なくとも１箇所の孔の断面積が０．００１〜０．０２ｍｍ2、さらには０．００５〜０．０１５ｍｍ2であることが好ましい。また、図３ｅに示すような断面形状の通路Ｐを有する流量抑制部材４０を用いても良く、その場合は、通路Ｐを流れる気体との接触面積が大きいため流量抑制効果が高く所望の噴射量に調整しやすい。なお通路の断面形状は特に限定されず、図３ｆのように細孔を複数個設けてもよい。
【００２６】
また、流量抑制部材４０として図３ｇに示すように、たとえば７本の芯材６を撚り合わせて流量抵抗体９を形成し、その流量抵抗体９の外径と実質的に同じ内径をもつチューブ本体７内に挿入した流量抑制部材４１を用いることができる。該流量抑制部材４１は芯材６間の隙間および流量抵抗体９とチューブ本体７との隙間がエアゾール組成物の通路４となり、芯材の数や太さを選択することにより所望の流量（噴射量）に調整することができる。
【００２７】
さらに、図３ｈに示すように、芯材６の外周にコイル８を密着巻きした流量抵抗体９を形成し、該流量抵抗体９をその外径と実質的に同じ内径を有するチューブ本体内７に挿入した流量抑制部材４２を用いることもできる。該流量抑制部材４２は、コイル８とチューブ本体７内の隙間がエアゾール組成物の通路４となり、コイルの巻数や太さなどを選択することにより所望の流量（噴射量）に調整することができる。さらに、このような流量抑制部材の他に、樹脂焼結体（ポリエチレンやポリプロピレン、エチレンビニルアセテート、メチルメタアクリレート、ポリテトラフルオロエチレン、ポリサルホンなどの樹脂を金型内で加圧、賦形した後、融点以下あるいは部分溶解する温度で加熱することにより成形した網目構造の合成樹脂多孔質体）をディップチューブ１６内やハウジング下部のディップチューブ装着部の内部、ステム上部の内通路などに挿入しても良い。
【００２８】
本発明のエアゾール製品は、たとえば下記の手順により製造することができる。
ａ）容器本体に有効成分、必要により揮発性溶剤を充填する。
ｂ）液化ガスを容器本体に充填する。
ｃ）エアゾールバルブを容器本体の開口部に固着する。
ｄ）エアゾールバルブに噴射部材を装着する。
なお、予め有効成分、必要により揮発性溶剤を液化ガスに配合してエアゾール組成物を調製しておき、エアゾールバルブを固着したエアゾール容器に充填しても良い。
【００２９】
実施の形態１
図２に示すエアゾール製品は、容器本体を把持して使用する空間用エアゾール製品である。該エアゾール製品（図２）は、たとえば、容器本体１４の胴部１４ａを把持し、人差し指で噴射部材１１の天面を押し下げることにより、連通孔（ステム孔）１２ａ（図１参照）が開放されてエアゾール容器内部と外部とが連通する。このとき、エアゾール容器内のエアゾール組成物の気体３８がディップチューブ１６の開口部１６ａからハウジング２４内に導入され、連通孔１２ａ、噴射部材１１の通路１１ｃを経て、噴射孔１１ａから外部に噴射される。なお、図２に示すエアゾール装置の場合は、ディップチューブ１６の下端にある開口部１６ａがエアゾール容器の長軸方向の中心付近（エアゾール容器高さの４０〜６０％）に位置しており、さらにエアゾール容器内に充填されているエアゾール組成物（液体）３７は容器満注量の４０〜６０容量％であり、ディップチューブ１６の開口部１６ａはエアゾール容器の気相部に開口している。如上のとおりに構成することにより、噴射する際にエアゾール容器が傾いても、さらには倒立状態で使用しても、ディップチューブ１６の開口部１６ａは常にエアゾール容器内の気相部に開口し、エアゾール組成物の液体３７が噴射されることがない。
【００３０】
該実施の形態では、エアゾール製品を手で持って噴射操作できるため、用時に、また所望の箇所で使用することができ、たとえば室内用芳香剤、消臭剤などに好適に用いることができる。また該形態の場合、噴射後短時間で有効成分の効果が得られるものが好ましく、エアゾール組成物の気体を噴射する噴射量を０．０１〜１．０ｇ／秒、さらには０．０５〜０．８ｇ／秒に調整することが好ましい。
【００３１】
実施の形態２
図３ａに示すエアゾール製品は、床などの固定面に載置して使用するエアゾール製品である。
【００３２】
図３ａに示す容器本体１４は、開口部２０を形成した胴部１４ａに底蓋１４ｂを２重巻き締めにより接合した２ピース缶である。なお、該容器本体１４は、胴部１４ａの直径が高さよりも大きい扁平な形状（たとえば直径が８０ｍｍ以上、高さが直径の０．９倍以下）を有しており、容器本体を手でもって操作しにくいが、床などの固定面に載置して使用するのに適している。この形状の容器本体を用いることにより、エアゾール容器が傾けられたり、あるいは倒立の状態で使用されることを防止できる。
【００３３】
エアゾールバルブ１５は、ディップチューブを備えて無く、ハウジング２４（図１参照）の下端にチューブ状の流量調整部材４０を挿入したアダプター１５ａ（図３ｄ参照）を装着している。流量調整部材４０はエアゾール組成物の気体の流速を抑制できるものであれば、通路Ｐの断面積や形状は特に限定されないが、たとえば、前述の図３ｅ、３ｆ、３ｇ、３ｈに示すものを用いることができる。なお、エアゾール組成物の気体の噴射量は、流量調整部材４０の通路Ｐの長さと断面積により調製することができる。アダプター１５ａは流量調整部材４０をエアゾールバルブ１５に取り付けやすくする補助部材である。なお、流量調整部材４０として、前記チューブ状の流量抑制部材４０を用いずに樹脂焼結体をアダプター１５ａとして用いても良い。
【００３４】
噴射部材１１は、ステム１２に装着される押しボタン１１ｂと、エアゾール容器の頭部に装着される肩カバー１１Ｒとからなる。押しボタン１１ｂは、天面にすり鉢状の凹部を有し、その底部に噴射孔１１ａが形成され、凹部および噴射孔１１ａを覆うようにドーム状の拡散部３５が設けられている。該拡散部３５は濾紙などの通気性を有するもので形成されている。また押しボタン１１ｂの側面には突起１１ｐが形成されている。肩カバー１１Ｒの内周壁には、図３ｃに示すように、上下方向に延びる縦溝Ｇｖと、縦溝Ｇｖの底部に左右方向に延びるロック溝Ｇｈが形成されている。
【００３５】
図３ａに示すエアゾール製品は、図２で示したエアゾール製品と同様に製造することができる。該エアゾール製品を使用する際には、エアゾール製品を床に置き、先ず、図３ｂに示すように、押しボタン１１ｂの突起１１ｐが肩カバー１１Ｒの縦溝Ｇｖの上方に位置するように押しボタン１１ｂの向きを調整する。このとき、押しボタン１１ｂは下方に移動可能となる。なお、押しボタン１１ｂの突起１１ｐが縦溝Ｇｖの上方にないときは、押しボタン１１ｂを押し下げても突起１１ｐが肩カバーの天面と当接するため、押しボタン１１ｂを噴射操作できない。次いで、押しボタン１１ｂを押し下げると押しボタン１１ｂが下方に移動してエアゾールバルブ１５（図１参照）が開放され、エアゾール組成物の気体３８が噴射される。さらに噴射を継続させたい場合は、押しボタン１１ｂを押し下げた状態で右あるいは左方向に回転すると、押しボタン１１ｂの突起１１ｐはロック溝Ｇｈ側に移動し、押し下げている指を離してもこの位置で固定される。噴射を解除したい場合は、押しボタン１１ｂを逆の方向に回すと突起１１ｐが縦溝Ｇｖ側に移動し、元の位置に戻り噴射が停止する。
【００３６】
この実施の形態では、容器本体が扁平な形状をしていることから正立状態で床などに置いて使用され、かつ、エアゾールバルブがハウジングに流量調整部材を装着し、流量調整部材の下端開口部４０ａがエアゾール容器の上部にあるため、開口部４０ａは常にエアゾール容器内の気相部に開口している。エアゾールバルブ１５（図１参照）を開放すると、エアゾール組成物の気体３８がハウジング２４（図１参照）下部の流量調整部材４０（図３ａ参照）の下端開口部４０ａから流量調整部材内の通路Ｐを通過してハウジング２４（図１参照）内部に導入され、ステム孔１２ａ（図１参照）、押しボタン１１ｂの通路１１ｃを経て噴射孔１１ａから外部に噴射される。エアゾール組成物の気体３８が流量調整部材４０を通過するときに所望の流速（噴射量）に制御される。なお、エアゾール容器内にホコリなどのゴミが混入していてもゴミはエアゾール組成物の液体３７中に沈降、分散あるいは浮遊しており、エアゾール組成物の気体３８とともに流量調整部材内に導入されることがないため、通路の断面積が減少することがなく、安定した噴射量で噴射できる。また、噴射孔１１ａから噴射された気体は押しボタン１１ｂの拡散部３５を通過するが、このとき、有効成分が吸着あるいは含浸、付着し、効果がより持続する。
【００３７】
該実施の形態では、床などの固定面に載置して使用できるため、たとえば、室内の芳香剤、消臭剤、殺虫剤などに好適に用いることができる。さらに、継続して微量噴射できることから、前記用途以外にも、玄関や窓の外にエアゾール製品を載置しておき、外部から蚊やハエ、アブ、蛾、ハチなどの飛翔害虫や、ゴキブリやムカデ、ナメグジなどの害虫の侵入を防止することもできる。なお、前記微量噴射する場合の噴射量は流量調整部材などを用いて０．１〜１０ｇ／時間、さらには０．５〜５ｇ／時間に調整することが好ましい。
【００３８】
実施の形態３
図４に示すエアゾール製品は壁などの固定面に掛けて使用するエアゾール製品であり、壁などの固定面Ｗに保持するためのホルダーＨに収容されている。容器本体は、図１の容器本体と同様に３ピース缶が用いられている。
【００３９】
エアゾールバルブ１５（図１および４参照）は、ハウジング２４の下端に可撓性のディップチューブ１６を装着しており、該ディップチューブ１６の先端には、液化ガスに浮くことができる浮きＦが装着されている。該浮きＦは、液化ガスの比重よりも軽い材質で形成され、浮きＦの頭部には開口部Ｆａが、側面にはディップチューブ１６を装着するための装着部Ｆｂが形成されている。前記浮きＦの頭部の開口部Ｆａと側面の装着部Ｆｂとは連通しており、装着部Ｆｂにディップチューブ１６の先端を装着することにより、ハウジング２４（図１参照）内部はエアゾール容器の気相部と常に連通する。なお、エアゾール製品が保持される傾きに関係なく安定した方向で浮くことができるように、浮きＦの底部に重りを挿入している。
【００４０】
噴射部材１１は、図３ａに示すエアゾール製品と同様に、ステム１２に装着される押しボタン１１ｂと、容器本体の巻き締め部２１に装着される肩カバー１１Ｒとからなる。押しボタン１１ｂは、中央に噴射孔１１ａが、下部側面に突起１１ｐが設けられている。肩カバーは、容器本体の巻き締め部に装着可能な外周壁１１Ｒと、押しボタンの外周面に外挿する内周壁１１ｓとを有する。内周壁１１ｓの下端の一部には切り欠きが形成されており、使用していないときは押しボタンの突起が内周壁の切り欠きに位置する。
【００４１】
該エアゾール製品を使用する際には、押しボタンを押し下げるとエアゾールバルブが開放されて、エアゾール組成物の気体３８が浮き頭部の開口部Ｆａから装着部Ｆｂ、ディップチューブ１６からハウジング２４内部に導入され、さらにステム孔１２ａ、押しボタン１１ｂの通路１１ｃを経て噴射孔１１ａから外部に噴射される。噴射を継続したいときは、図３ａのエアゾール製品と同様に押しボタン１１ｂを回すと押しボタン１１ｂの突起１１ｐが肩カバー１１Ｒの内周壁１１ｓ下端と当接し、噴射状態が維持される。なお、この実施の形態では、押しボタン１１ｂの突起１１ｐおよび肩カバー１１Ｒの切り欠きのある位置が外部からわかるように、天面に印を設けることが好ましい。
【００４２】
また、図３ａのエアゾール製品と同様に、エアゾールバルブ１５に流量抑制部材を設けて、継続的に微量噴射することもできる。
【００４３】
該実施の形態についても、壁などの固定面に掛けて使用できるため、たとえば、トイレやリビングなどの室内用芳香剤、消臭剤、殺虫剤などに好適に用いることができる。さらに、継続して微量噴射できることから、前記用途以外にも、害虫の侵入を防止する忌避剤として使用することもできる。
【実施例】
【００４４】
実施例１
図１に示すエアゾール容器（満注量４３０ｍｌ）を用い、該エアゾール容器に有効成分として香料（＊１）３ｇ、液化ガスとして液化石油ガス（＊２）９７ｇを充填し、空間用エアゾール製品（室内用芳香剤）を得た。エアゾール組成物の充填率は４０容量％である。
【００４５】
なおエアゾールバルブは、下記の条件のものを用いた。
ステム          ：ステム孔φ０．５（０．２ｍｍ2）
ハウジング      ：下孔φ１．５（１．７７ｍｍ2）、横穴なし
ディップチューブ：チューブ先端の開口部がエアゾール容器の中心部（エアゾール容器高
さの５０％）で開口する長さ
＊１：Orange oil（沸点１７３℃、リモネンを主成分とする精油）
＊２：ノルマルブタン、イソブタン、プロパンの混合物
２０℃での蒸気圧が０．４９ＭＰａ
【００４６】
実施例２
液化ガスとして液化石油ガス（＊２）の代わりに液化石油ガス（＊３）を用いた以外は実施例１と同様にして空間用エアゾール製品を得た。
＊３：ノルマルブタン、イソブタン、プロパンの混合物
２０℃での蒸気圧が０．２５ＭＰａ
【００４７】
実施例３
液化ガスとして液化石油ガス（＊２）の代わりにイソペンタン１９．４ｇ、液化石油ガス（＊３）７７．６ｇを用いた以外は実施例１と同様にして空間用エアゾール製品を得た。
【００４８】
実施例４
有効成分として香料（＊１）の代わりに香料（＊４）を用いた以外は実施例１と同様にして空間用エアゾール製品を得た。
＊４：ジヒドロミルセノール（沸点１９４℃）
【００４９】
実施例５
有効成分として香料（＊１）の代わりに香料（＊５）を用いた以外は実施例１と同様にして空間用エアゾール製品を得た。
＊５：ベンジルアセテート（沸点２１６℃）
【００５０】
実施例６
有効成分として香料（＊１）の代わりに香料（＊６）を用いた以外は実施例１と同様にして空間用エアゾール製品を得た。
＊６：Rosemary oil（沸点１７６℃）
【００５１】
実施例７
有効成分として香料（＊１）の代わりに香料（＊７）を用いた以外は実施例１と同様にして空間用エアゾール製品を得た。
＊７：Clove oil（沸点２５１℃、オイゲノールを主成分とする精油）
【００５２】
比較例１
有効成分として香料（＊１）の代わりに香料（＊８）を用いた以外は実施例１と同様にして空間用エアゾール製品を得た。
＊８：Sandalwood oil（沸点２７６℃、α−サンタロールを主成分とする精油）
【００５３】
比較例２
実施例１のエアゾール組成物を、エアゾール組成物の液体と気体とを噴射できるエアゾール装置に充填し空間用エアゾール製品を得た。
【００５４】
なおエアゾールバルブは、下記の条件のものを用いた。
ステム          ：ステム孔φ０．５（０．２０ｍｍ2）
ハウジング      ：下孔φ１．５（１．７７ｍｍ2）、横穴φ０．３（０．０７ｍｍ2）
ディップチューブ：チューブ先端の開口部がエアゾール容器の底部付近で開口する長さ
【００５５】
比較例３
有効成分として香料（＊１）３０ｇ、液化ガスとして液化石油ガス（＊２）７０ｇを充填し用いた以外は実施例１と同様にして空間用エアゾール製品を得た。
【００５６】
試験評価
得られたエアゾール製品を２５℃に調整した恒温水槽中に１時間保持し、下記の項目の試験を行った。結果を表１に示す。
ａ）１秒間当たりの噴射量
エアゾール製品を５秒間噴射して噴射量を測定し、１秒間当たりの噴射量を算出した。
【００５７】
ｂ）官能評価
閉め切った室内（６畳）の中心部、高さ１．５ｍの位置でエアゾール製品を５秒間噴射し、中心部から２ｍ離れた位置で臭いの評価を行った。
◎：非常に心地よい臭いを感じることができ、持続する。
○：心地よい臭いを感じることができ、持続する。
△：適度な臭いを感じることができたが、持続しない。
×：臭いが弱い、または感じない。
【００５８】
ｃ）残量率
エアゾール組成物が噴射されなくなるまでエアゾールバルブを開放状態に維持し、エアゾール容器内に残留しているエアゾール組成物の重量を測定し、充填量に対する残量率を算出した。
○：２重量％未満
△：２〜５重量％
×：５重量％以上
【００５９】
【表１】
2006122319.tif 000003
【図面の簡単な説明】
【００６０】
【図１】本発明のエアゾール装置の主要部を示す説明図である。
【図２】本発明の一実施の形態にかかわるエアゾール製品の説明図である。
【図３ａ】本発明の他の実施の形態にかかわるエアゾール製品の説明図である。
【図３ｂ】図３ａの要部説明図である。
【図３ｃ】図３ａの要部説明図である。
【図３ｄ】図３ａの要部説明図である。
【図３ｅ】図３ａの要部説明図である。
【図３ｆ】図３ａの要部説明図である。
【図３ｇ】図３ａの要部説明図である。
【図３ｈ】図３ａの要部説明図である。
【図４】本発明のさらに他の実施の形態にかかわるエアゾール製品の説明図である。
【符号の説明】
【００６１】
１１    噴射部材
１１ａ  噴射孔
１１ｂ  押しボタン
１１ｃ  通路
１１ｐ  突起
１１Ｒ  肩カバー
１２    ステム
１２ａ  ステム孔
１４    容器本体
１４ａ  胴部
１４ｂ  底蓋
１４ｃ  目金蓋
１５    エアゾールバルブ
１６    ディップチューブ
１６ａ  開口部
２０    開口部
２１    ビード
２３    マウンティングカップ
２４    ハウジング
３７    エアゾール組成物（液体）
３８    エアゾール組成物（気体）
４０    流量調整部材
Ｇｖ    縦溝
Ｇｈ    ロック溝
Ｆ    浮き
Ｈ    ホルダー
Ｗ    固定面
【図１】
2006122319.tif 000004
【図２】
2006122319.tif 000005
【図３ａ】
2006122319.tif 000006
【図３ｂ】
2006122319.tif 000007
【図３ｃ】
2006122319.tif 000008
【図３ｄ】
2006122319.tif 000009
【図３ｅ】
2006122319.tif 000010
【図３ｆ】
2006122319.tif 000011
【図３ｇ】
2006122319.tif 000012
【図３ｈ】
2006122319.tif 000013
【図４】
2006122319.tif 000014